(57)【特許請求の範囲】
【請求項１】
所定の記載内容が表記された銘板と、電力配電機器本体を覆ってその内部を保護するカバーとを備えている電力配電機器において、前記銘板は、透明部材から形成され、その裏面に前記記載内容が表記されており、その表面が前記カバーと共に電力配電機器本体を覆っており、
前記記載内容には、同種の計器であれば変わらない記載内容および定格や生産によって変わる記載内容があり、
前記同種の計器であれば変わらない記載内容は銘板製造時に印刷で表記され、前記定格や生産によって変わる記載内容は電力配電機器製造時に前記銘板の裏面に形成された塗装膜がレーザー照射によって一部剥離されて刻印されて表記されていることを特徴とする電力配電機器。
【請求項２】
前記銘板が取り付けられる部分の前記カバーは黒色系の色をしていて白色系の色をしている前記塗装膜とは互いが区別できる色をしており、前記塗装膜の剥離された部分から前記カバーの色が前記刻印として視認されることを特徴とする請求項１に記載の電力配電機器。
【発明の詳細な説明】
【０００１】
【発明の属する技術分野】
本発明は、電力配電機器本体を覆ってその内部を保護するカバーと銘板とを備えた電力配電機器に関するものである。
【０００２】
【従来の技術】
従来、この種の電力配電機器として図１（ａ）および同図（ｂ）に示す電力量計がある。同図（ａ）および同図（ｂ）は共に電力量計の横断面図であるが、電力量計本体は図示が省略されている。
【０００３】
同図（ａ）に示す電力量計は、電力量計本体にカバー１がかぶされて構成されている。カバー１は前面が全て開口しており、断面が「コ」の字状をした透明窓部２はカバー１のこの開口部を塞いでいる。銘板３の表面３ａに表記された所定の記載内容は、この透明窓部２を介して視認される。
【０００４】
また、同図（ｂ）に示す電力量計は、電力量計本体にカバー４がかぶされて構成されている。カバー４は前面の一部が開口しており、平板状の透明窓部５はカバー４のこの開口部を内部から塞いでいる。銘板３の表面３ａに記載された所定の記載内容は、カバー４の開口部に臨む透明窓部５を介して視認される。
【０００５】
電力量計の銘板３には、法令に定められた記載内容が表記されている。この記載内容には、一般に、同種の計器であれば変わらないものと、定格や生産によって変わるものとがある。前者の内容は銘板製造時に印刷で記載され、後者の内容は電力量計の製造工程内で刻印されている。この刻印は、アルミ製銘板の場合は、刻印部が黒色に印刷塗装され、この印刷塗装が機械的打刻あるいはレーザー照射により剥離されることにより、黒色印刷塗装の中にアルミ色の文字が現されて通常行われる。しかし、不滅インクを用いたスタンプによる記載や、記載事項が印刷されたシールの貼付が刻印とされることもある。
【０００６】
取引用や証明用に使用される電力量計の銘板３は、このようにカバー１，４および透明窓部２，５に覆われる構造になっているため、その記載内容は外部から変更できないようになっており、また、紫外線や経年変化等により認識できなくなることがないようになっている。
【０００７】
【発明が解決しようとする課題】
近年の地球環境問題への意識向上に伴い、電力エネルギーにおいてもその消費量をきめ細かく管理する必要性が生じている。しかし、これを管理するための電力配電機器例えば電力量計では、全ての既存の分電盤や機械設備等に取り付けるのには、その物理的大きさの点で限界があった。従って、電力量計といった電力配電機器自体の小型化が急務となっており、また、同時に電力配電機器製品価格のコストダウンも要求されている。
【０００８】
【課題を解決するための手段】
本発明はこのような課題を解決するためになされたもので、所定の記載内容が表記された銘板と、電力配電機器本体を覆ってその内部を保護するカバーとを備えている電力配電機器において、銘板は、透明部材から形成され、その裏面に記載内容が表記されており、その表面がカバーと共に電力配電機器本体を覆っており、記載内容には、同種の計器であれば変わらない記載内容および定格や生産によって変わる記載内容があり、同種の計器であれば変わらない記載内容は、銘板製造時に印刷で表記され、定格や生産によって変わる記載内容は、電力配電機器製造時に銘板の裏面に形成された塗装膜がレーザー照射によって一部剥離されて刻印されて表記されていることを特徴とする。
【０００９】
このような構成によれば、銘板が、カバーと一体的に取り付けられてカバーと共に電力配電機器本体を覆って保護しているので、従来の透明窓部の機能を兼ねることになる。その結果、従来、カバーの構成要素の１つとして不可欠であった透明窓部は不要になる。また、銘板の記載内容はその裏面に表記されているので、電力配電機器のメーカー以外は記載部分に触れることが出来ない。また、記載内容は、レーザー照射により銘板裏面から塗装膜が剥離される刻印と、印刷とにより行われ、同種の計器であれば変わらない記載内容は銘板製造時に印刷で表記され、定格や生産によって変わる記載内容は電力配電機器製造時に銘板の裏面に形成された塗装膜がレーザー照射によって一部剥離されて刻印されて表記される。この場合、銘板裏面の塗装膜をレーザー照射で剥離することによって銘板に生じる焼け跡等の汚れは、裏面に発生する。
【００１２】
また、本発明は、銘板が取り付けられる部分のカバーは黒色系の色をしていて白色系の色をしている塗装膜とは互いが区別できる色をしており、塗装膜の剥離された部分からカバーの色が刻印として視認されることを特徴とする。
【００１３】
このような構成によれば、刻印は、従来のように銘板の材質の色によって表現されるのではなく、カバーの色によって表現される。
【００１４】
【発明の実施の形態】
次に、本発明による電力配電機器を電力量計に適用した一実施形態について説明する。
【００１５】
図２は、本実施形態による電力量計の横断面図であり、電力量計本体は図示が省略されている。
【００１６】
本実施形態の電力量計は、電力量計本体にカバー１１がかぶされて構成されている。このカバー１１は、黒色のプラスチック材料から成形され、その横断面の形状が略Ｈ形状に形成されている。また、カバー１１は、電力量値を視認する長方形状に開口したメータ視認孔１１ａを前面に持つ。
【００１７】
カバー１１の前面の凹部には、透明なプラスチック板からなる図３に示す銘板１３が、メータ視認孔１１ａを覆って取り外しできないように外側からはめ込まれている。このはめ込みは、銘板１３の中央にある長方形の太枠１３ａがメータ視認孔１１ａに一致するようになっており、電力量値がこの太枠１３ａ内に視認される。図２に示す横断面は、この図３に示すＡ−Ａ線に沿ってカバー１１を破断した際に現れる。銘板１３のこの太枠１３ａの周囲部分は、２つの小角枠１３ｂ，１３ｃおよび１つの小丸枠１３ｄの部分を除き、カバー１１の前面の凹部に接しており、カバー１１の黒色表面が見られる。小角枠１３ｂ，１３ｃおよび小丸枠１３ｄの部分のカバー１１には穴があいており、小角枠１３ｂには電力量計の計量時に動作中であることを表す液晶の点滅表示が視認され、小角枠１３ｃには電力量計の非計量時に待機中であることを表す液晶の点灯表示が視認される。また、小丸枠１３ｄには計量パルスが赤外線発光ダイオードの発光として現れる。
【００１８】
銘板１３の裏面１３ｅには、法令に定められた記載内容が裏文字形状に表記されている。銘板１３の記載内容には、同種の計器であれば変わらないもの、例えば、計器名称１３ｆ、計器定数１３ｇ、「型承」１３ｈ、および「年製」１３ｉ等と、定格や生産によって変わるもの、例えば、検定年１３ｊ、周波数１３ｋ、製造番号１３ｌ、製造年１３ｍ、およびパルス定数値１３ｎ等とがある。
【００１９】
前者の記載内容１３ｆ〜１３ｉは、銘板製造時に白色塗料で印刷される。後者の記載内容１３ｊ〜１３ｎは、銘板製造時に同図に枠で示す刻印部に白色印刷塗装膜が形成された後、電力量計の製造工程時にこの刻印部の塗装膜の一部がレーザー照射により裏文字形状に剥離されて刻印される。その結果、カバー１１の黒色を背景に白色表記された記載内容１３ｆ〜１３ｉと、白色の塗装膜からカバー１１の黒色が浮き出て黒色表記された記載内容１３ｅ〜１３ｉとが視認される。
【００２０】
このような本実施形態による電力量計によれば、銘板１３が、カバー１１と一体的に取り付けられてカバー１１と共に電力量計本体を覆って保護しているので、従来の透明窓部２，５（図１参照）の機能を兼ねることになる。その結果、従来、カバー１１の構成要素の１つとして不可欠であった透明窓部２，５が不要になる。このため、電力量計の部品点数が減り、電力量計の小型化および製品コストの低減が図れる。また、銘板１３の記載内容はその裏面１３ｅに表記されているので、電力量計のメーカー以外は記載部分に触れることが出来ない。このため、メーカー以外で銘板の記載内容を変更することは出来ない。
【００２１】
なお、従来の電力量計において、透明窓部２，５自体を無くすことによって製品コストの低減を図ることも考えられるが、透明窓部２，５が無い状態では、銘板３の表面３ａに直接刻印したり、シールを貼付したりすることが可能になる。従って、このような構成では、銘板３の記載事項が例えばメーカーで貼付したものか、ユーザーで貼付したものか、第三者が貼付したものかの区別がつかなくなり、取引・証明用に使用される電力量計にとっては致命的な欠陥となる。しかし、本実施形態の上述した電力量計にあっては、このような欠陥を生じることなく、電力量計の小型化およびコストダウンを達成することが出来る。
【００２２】
また、本実施形態では、銘板１３の刻印は、レーザー照射により銘板裏面１３ｅからこの裏面１３ｅの塗装膜の一部を剥離することにより行われるが、レーザーが裏面１３ｅに照射されることで銘板１３に焼け跡等の汚れが発生することがある。しかし、この焼け跡等の汚れは銘板１３の裏面１３ｅに発生するため、直接銘板１３の表面に露出せず、記載内容を銘板１３の表面から視認する際、汚れは目立たない。
【００２３】
また、カバー１１の成形材料の色に黒色、このカバー１１に接する刻印部の塗装膜の色に白色が使用され、銘板１３が取り付けられる部分のカバー１１の色と塗装膜とは互いが容易に区別できる色をしている。従って、塗装膜の剥離された裏文字形状部分からカバー１１の黒色が刻印として視認される。つまり、刻印は、従来のように銘板の材質の色によって表現されるのではなく、カバー１１の色によって表現される。このため、銘板１３が透明部材から構成されても従来と同様な刻印を行える。
【００２４】
なお、上述した本実施形態では、カバー１１が黒色材料から形成され、銘板１３の塗装膜が白色で形成されている場合について説明したが、塗装膜の剥離部分からカバー１１の色が浮き出て刻印が容易に視認できるのであれば、カバー１１に使用する材料と銘板１３の塗装膜とは、何色を使うことも出来、上記実施形態と同様な作用・効果が奏される。
【００２５】
また、上述した本実施形態では、レーザー照射により塗装膜を剥離して刻印を行う場合について説明したが、彫刻のような機械的刻印により塗装膜を剥離して刻印するようにしてもよい。また、銘板１３の裏面１３ｅへの不滅インクを用いたスタンプや記載事項が印刷されたシール貼付が刻印として行われてもよい。すなわち、紫外線や経年劣化等により認識できなくならないものであれば、上述した本実施形態と同様に本発明を適用することが出来、この場合にも上記実施形態と同様な作用・効果が奏される。
【００２６】
また、上述した本実施形態では、本発明を電力量計に適用した場合について説明したが、カバーと銘板とを備えるタイムスイッチといった他の電力配電機器にも同様に本発明を適用することができ、この場合にも上記実施形態と同様な作用・効果が奏される。
【００２７】
【発明の効果】
以上説明したように本発明によれば、銘板が、カバーと一体的に取り付けられてカバーと共に電力配電機器本体を覆って保護しているので、従来の透明窓部の機能を兼ねることになる。その結果、従来、カバーの構成要素の１つとして不可欠であった透明窓部は不要になる。このため、電力配電機器の部品点数が減り、電力配電機器の小型化および製品コストの低減が図れる。また、銘板の記載内容はその裏面に表記されているので、電力配電機器のメーカー以外は記載部分に触れることが出来ない。このため、メーカー以外で銘板の記載内容を変更することは出来ない。
【００２８】
また、記載内容に、印刷されたものと、銘板の裏面に形成された塗装膜が一部剥離されて刻印されたものとが含まれているので、記載内容は、レーザ照射により銘板裏面から塗装膜が剥離される刻印と、印刷とにより行われる。この場合、銘板裏面の塗装膜をレーザ照射で剥離することによって銘板に生じる焼け跡等の汚れは、裏面に発生する。このため、銘板裏面の焼け跡等の汚れは直接銘板の表面に露出せず、記載内容を銘板の表面から視認する際、汚れは目立たない。
【００２９】
また、銘板が取り付けられる部分のカバーは黒色系の色をしていて白色系の色をしている塗装膜とは互いが区別できる色をしており、塗装膜の剥離された部分からカバーの色が刻印として視認される構成の場合には、刻印は、従来のように銘板の材質の色によって表現されるのではなく、カバーの色によって表現される。このため、銘板が透明部材から構成されても、従来と同様な刻印を行える。
【図面の簡単な説明】
【図１】（ａ）は従来の電力量計の横断面図であり、（ｂ）は別の従来の電力量計の横断面図である。
【図２】本発明の一実施形態による電力量計の横断面図である。
【図３】本発明の一実施形態による電力量計に使用される銘板の正面図である。
【符号の説明】
１１…カバー
１１ａ…メータ視認孔
１３…銘板
１３ｅ…銘板１３の裏面
【図１】
0003729753.tif 000002
【図２】
0003729753.tif 000003
【図３】
0003729753.tif 000004